(57)【要約】【課題】ユーザ間でお薦めのアプリケーション情報を共有することにより、ユーザが望むアプリケーションを発見させたり、新たな気づきを与える。【解決手段】ユーザ端末群の各端末２００Ａ〜２００Ｄが、使用しているアプリケーションの利用履歴を含むアプリケーション情報を制御サーバにアップロードする。端末１００は、アプリケーション情報を共有するユーザ端末群の端末を制御サーバ３００に指定し、制御サーバ３００は、端末１００から指定のあった端末がアップロードしたアプリケーション情報を抽出する。そして、制御サーバ３００は、抽出したアプリケーション情報を端末１００に送信し、端末１００は、制御サーバ３００が提示するアプリケーション情報を取得し、取得したアプリケーション情報に基づいて、アプリケーションを選択する。【選択図】図８
2014228986.tif 000002
【特許請求の範囲】
【請求項１】
１のユーザの第１のユーザ端末と該１のユーザと知り合いであるユーザのユーザ端末群と制御サーバとからなるアプリケーション情報共有システムであって、
前記ユーザ端末群が、使用しているアプリケーションの利用履歴を含むアプリケーション情報を、ユーザの意思により選択的に、前記制御サーバにアップロードするアップロード手段を備え、
前記第１のユーザ端末が、
前記アプリケーション情報を共有するユーザの１の端末を前記制御サーバに指定するユーザ指定手段と、
前記制御サーバが提示するアプリケーション情報を取得する取得手段と、
該取得したアプリケーション情報に基づいて、アプリケーションを選択する選択手段と、
を備え、
前記制御サーバが、
前記第１のユーザ端末から指定のあったユーザ端末群の中の１の端末がアップロードした前記アプリケーション情報を抽出する抽出手段と、
該抽出したアプリケーションの情報を前記第１のユーザ端末に送信する送信手段と、
を備えたことを特徴とするアプリケーション情報共有システム。
【請求項２】
前記アプリケーションの利用履歴に、少なくとも、利用回数、利用日時、利用開始日を含むことを特徴とする請求項１に記載のアプリケーション情報共有システム。
【請求項３】
前記第１のユーザ端末およびユーザ端末群が、
位置情報を取得する位置情報取得手段を備え、
前記ユーザ端末群が、
該取得した位置情報を含めて、アプリケーションの利用履歴を記憶する記憶手段を備えたことを特徴とする請求項１に記載のアプリケーション情報共有システム。
【請求項４】
前記第１のユーザ端末が、
前記アプリケーションの利用履歴に含まれる項目を変更する変更手段と、
該変更した情報を前記制御サーバに送信する変更情報送信手段と、
を備え、
前記制御サーバの抽出手段が、受信した変更情報に基づいて、前記アプリケーション情報を抽出することを特徴とする請求項１に記載のアプリケーション情報共有システム。
【請求項５】
前記第１のユーザ端末が、
前記抽出手段の抽出を拒否する情報を登録する拒否情報登録手段と、
該拒否情報を前記制御サーバに送信する拒否情報送信手段と、
を備え、
前記制御サーバの抽出手段が、受信した拒否情報に基づいて、前記アプリケーション情報を抽出することを特徴とする請求項１に記載のアプリケーション情報共有システム。
【請求項６】
１のユーザの第１のユーザ端末と該１のユーザと知り合いであるユーザから構成される複数のグループ内のユーザ端末群と制御サーバとからなるアプリケーション情報共有システムであって、
前記ユーザ端末群が、使用しているアプリケーションの利用履歴を含むアプリケーション情報を、ユーザの意思により選択的に、前記制御サーバにアップロードするアップロード手段を備え、
前記第１のユーザ端末が、
前記アプリケーション情報を共有するグループを前記制御サーバに指定するグループ指定手段と、
前記制御サーバが提示するアプリケーション情報を取得する取得手段と、
該取得したアプリケーション情報に基づいて、アプリケーションを選択する選択手段と、
を備え、
前記制御サーバが、
前記第１のユーザ端末から指定のあったグループのユーザ端末がアップロードした前記アプリケーション情報を抽出する抽出手段と、
該抽出したアプリケーション情報を前記第１のユーザ端末に送信する送信手段と、
を備えたことを特徴とするアプリケーション情報共有システム。
【請求項７】
前記アプリケーションの利用履歴に、少なくとも、利用回数、利用日時、利用開始日を含むことを特徴とする請求項６に記載のアプリケーション情報共有システム。
【請求項８】
前記第１のユーザ端末およびユーザ端末群が、
位置情報を取得する位置情報取得手段を備え、
前記ユーザ端末群が、
該取得した位置情報を含めて、アプリケーションの利用履歴を記憶する記憶手段を備えたことを特徴とする請求項６に記載のアプリケーション情報共有システム。
【請求項９】
前記第１のユーザ端末が、
前記アプリケーションの利用履歴に含まれる項目を変更する変更手段と、
該変更した情報を前記制御サーバに送信する変更情報送信手段と、
を備え、
前記制御サーバの抽出手段が、受信した変更情報に基づいて、前記アプリケーション情報を抽出することを特徴とする請求項６に記載のアプリケーション情報共有システム。
【請求項１０】
前記第１のユーザ端末が、
前記抽出手段の抽出を拒否する情報を登録する拒否情報登録手段と、
該拒否情報を前記制御サーバに送信する拒否情報送信手段と、
を備え、
前記制御サーバの抽出手段が、受信した拒否情報に基づいて、前記アプリケーション情報を抽出することを特徴とする請求項６に記載のアプリケーション情報共有システム。
【請求項１１】
１のユーザの第１のユーザ端末と該１のユーザと知り合いであるユーザのユーザ端末群と制御サーバとからなるアプリケーション情報共有システムにおけるアプリケーション情報共有方法であって、
前記ユーザ端末群が、使用しているアプリケーションの利用履歴を含むアプリケーション情報を、ユーザの意思により選択的に、前記制御サーバにアップロードする第１のステップと、
前記第１のユーザ端末が、前記アプリケーション情報を共有するユーザの１のユーザ端末を前記制御サーバに指定する第２のステップと、
前記制御サーバが、前記第１のユーザ端末から指定のあった１のユーザ端末がアップロードした前記アプリケーション情報を抽出する第３のステップと、
前記制御サーバが、該抽出したアプリケーション情報を前記第１のユーザ端末に送信する第４のステップと、
前記第１のユーザ端末が、前記制御サーバが提示するアプリケーション情報を取得する第５のステップと、
前記第１のユーザ端末が、該取得したアプリケーション情報に基づいて、アプリケーションを選択する第６のステップと、
を備えたことを特徴とするアプリケーション情報共有方法。
【請求項１２】
１のユーザの第１のユーザ端末と該１のユーザと知り合いであるユーザから構成される複数のグループ内のユーザ端末群と制御サーバとからなるアプリケーション情報共有システムにおけるアプリケーション情報共有方法であって、
前記ユーザ端末群が、使用しているアプリケーションの利用履歴を含むアプリケーション情報を、ユーザの意思により選択的に、前記制御サーバにアップロードする第１のステップと、
前記第１のユーザ端末が、前記アプリケーション情報を共有するグループを前記制御サーバに指定する第２のステップと、
前記制御サーバが、前記第１のユーザ端末から指定のあったグループのユーザ端末がアップロードした前記アプリケーション情報を抽出する第３のステップと、
前記制御サーバが、該抽出したアプリケーション情報を前記第１のユーザ端末に送信する第４のステップと、
前記第１のユーザ端末が、前記制御サーバが提示するアプリケーション情報を取得する第５のステップと、
前記第１のユーザ端末が、該取得したアプリケーション情報に基づいて、アプリケーションを選択する第６のステップと、
を備えたことを特徴とするアプリケーション情報共有方法。
【請求項１３】
１のユーザの第１のユーザ端末と該１のユーザと知り合いであるユーザのユーザ端末群と制御サーバとからなるアプリケーション情報共有システムにおけるアプリケーション情報共有方法をコンピュータに実行させるためのプログラムであって、
前記ユーザ端末群が、使用しているアプリケーションの利用履歴を含むアプリケーション情報を、ユーザの意思により選択的に、前記制御サーバにアップロードする第１のステップと、
前記第１のユーザ端末が、前記アプリケーション情報を共有するユーザの１のユーザ端末を前記制御サーバに指定する第２のステップと、
前記制御サーバが、前記第１のユーザ端末から指定のあった１のユーザ端末がアップロードした前記アプリケーション情報を抽出する第３のステップと、
前記制御サーバが、該抽出したアプリケーション情報を前記第１のユーザ端末に送信する第４のステップと、
前記第１のユーザ端末が、前記制御サーバが提示するアプリケーション情報を取得する第５のステップと、
前記第１のユーザ端末が、該取得したアプリケーション情報に基づいて、アプリケーションを選択する第６のステップと、
をコンピュータに実行させるためのプログラム。
【請求項１４】
１のユーザの第１のユーザ端末と該１のユーザと知り合いであるユーザから構成される複数のグループ内のユーザ端末群と制御サーバとからなるアプリケーション情報共有システムにおけるアプリケーション情報共有方法をコンピュータに実行させるためのプログラムであって、
前記ユーザ端末群が、使用しているアプリケーションの利用履歴を含むアプリケーション情報を、ユーザの意思により選択的に、前記制御サーバにアップロードする第１のステップと、
前記第１のユーザ端末が、前記アプリケーション情報を共有するグループを前記制御サーバに指定する第２のステップと、
前記制御サーバが、前記第１のユーザ端末から指定のあったグループのユーザ端末がアップロードした前記アプリケーション情報を抽出する第３のステップと、
前記制御サーバが、該抽出したアプリケーション情報を前記第１のユーザ端末に送信する第４のステップと、
前記第１のユーザ端末が、前記制御サーバが提示するアプリケーション情報を取得する第５のステップと、
前記第１のユーザ端末が、該取得したアプリケーション情報に基づいて、アプリケーションを選択する第６のステップと、
をコンピュータに実行させるためのプログラム。
【発明の詳細な説明】
【技術分野】
【０００１】
本発明は、知り合いのユーザ間でお薦めのアプリケーション情報を共有するアプリケーション情報共有システム、アプリケーション情報共有方法およびプログラムに関する。
【背景技術】
【０００２】
近年、従来の携帯端末に代わって、高機能型携帯端末であるスマートフォンが目覚ましく普及している。このスマートフォンの普及に伴って、スマートフォンで利用できるアプリケーションが多数開発され、リリースされており、このアプリケーションの充実がさらなるスマートフォンの普及を促している。
【０００３】
このように、多くのアプリケーションがリリースされることにより、スマートフォンの可能性は、ますます広がりを見せているが、ユーザにとっては、あまりにもアプリケーションの数が多いと、ユーザが望むアプリケーションを見つけ出すのが難しくなる。
【０００４】
このようなユーザの煩雑さを解消するために、ユーザのプロファイルや利用履歴に基づいて、ユーザが望むアプリケーションを提示する技術が知られている（例えば、特許文献１参照）。
【先行技術文献】
【特許文献】
【０００５】
【特許文献１】特開２００８−２４２９６６号公報
【発明の概要】
【発明が解決しようとする課題】
【０００６】
しかしながら、上記従来の技術には、ある確率で、ユーザが望むアプリケーションを提供できるものの、ユーザの嗜好は、その時の状況等で変化してしまうものであるため、必ずしも十分なものではなかった。また、従来の技術では、上記のように、ユーザのプロファイルや利用履歴に基づいて、ユーザが望むアプリケーションを提示するものであるため、ユーザに新たな興味や気づきを与えるようなアプリケーションを提示することはできなかった。
【０００７】
そこで、本発明は、上述の課題に鑑みてなされたものであり、知り合いのユーザ間でお薦めのアプリケーション情報を共有することにより、ユーザが望むアプリケーションを発見させたり、新たな気づきを与えるアプリケーション情報共有システム、アプリケーション情報共有方法およびプログラムを提供することを目的とする。
【課題を解決するための手段】
【０００８】
本発明は、上記の課題を解決するために、以下の事項を提案している。なお、理解を容易にするために、本発明の実施形態に対応する符号を付して説明するが、これに限定されるものではない。
【０００９】
（１）本発明は、１のユーザの第１のユーザ端末（例えば、図１の端末１００に相当）と該１のユーザと知り合いであるユーザのユーザ端末群（例えば、図１の端末２００Ａ〜２００Ｄに相当）と制御サーバ（例えば、図１の制御サーバ３００に相当）とからなるアプリケーション情報共有システムであって、前記ユーザ端末群が、使用しているアプリケーションの利用履歴を含むアプリケーション情報を、ユーザの意思により選択的に、前記制御サーバにアップロードするアップロード手段（例えば、図６のアップロード部２１０に相当）を備え、前記第１のユーザ端末が、前記アプリケーション情報を共有するユーザの１のユーザ端末を前記制御サーバに指定するユーザ指定手段（例えば、図２のユーザ指定部１１０に相当）と、前記制御サーバが提示するアプリケーションの情報を取得する取得手段（例えば、図２の取得部１７０に相当）と、該取得したアプリケーション情報に基づいて、アプリケーションを選択する選択手段（例えば、図２の選択部１８０に相当）と、を備え、前記制御サーバが、前記第１のユーザ端末から指定のあった１のユーザ端末がアップロードした前記アプリケーション情報を抽出する抽出手段（例えば、図７の抽出部３２０に相当）と、該抽出したアプリケーションの情報を前記第１のユーザ端末に送信する送信手段（例えば、図７の送信部３４０に相当）と、を備えたことを特徴とするアプリケーション情報共有システムを提案している。
【００１０】
この発明によれば、ユーザ端末群のアップロード手段は、使用しているアプリケーションの利用履歴を含むアプリケーション情報を、ユーザの意思により選択的に、制御サーバにアップロードする。第１のユーザ端末のユーザ指定手段は、アプリケーション情報を共有する１のユーザ端末を制御サーバに指定する。取得手段は、制御サーバが提示するアプリケーション情報を取得する。選択手段は、取得したアプリケーション情報に基づいて、アプリケーションを選択する。制御サーバの抽出手段は、第１のユーザ端末から指定のあった１のユーザ端末がアップロードした前記アプリケーション情報を抽出する。送信手段は、抽出したアプリケーションの情報を第１のユーザ端末に送信する。つまり、知り合いのユーザ端末を指定し、このユーザ端末がアップロードしたアプリケーション情報を抽出し、抽出したアプリケーション情報を第１のユーザ端末に制御サーバが送信し、第１のユーザ端末が受信したアプリケーション情報に基づいて、アプリケーションを選択する。したがって、ユーザが望むアプリケーションを発見できたり、新たな気づきをユーザに与えることができる。
【００１１】
（２）本発明は、（１）のアプリケーション情報共有システムについて、前記アプリケーションの利用履歴に、少なくとも、利用回数、利用日時、利用開始日を含むことを特徴とするアプリケーション情報共有システムを提案している。
【００１２】
この発明によれば、アプリケーションの利用履歴に、少なくとも、利用回数、利用日時、利用開始日を含む。したがって、こうした利用履歴を用いてアプリケーションを選別することにより、適切なアプリケーションをユーザに提供することができる。
【００１３】
（３）本発明は、（１）のアプリケーション情報共有システムについて、前記第１のユーザ端末およびユーザ端末群が、位置情報を取得する位置情報取得手段（例えば、図２の位置情報取得部１２０に相当）を備え、前記第１のユーザ端末が、前記ユーザ端末群が、該取得した位置情報を含めて、アプリケーションの利用履歴を記憶する記憶手段（例えば、図６の記憶部２３０に相当）を備えたことを特徴とするアプリケーション情報共有システムを提案している。
【００１４】
この発明によれば、第１のユーザ端末およびユーザ端末群が、位置情報を取得する位置情報取得手段を備え、ユーザ端末群の記憶手段は、取得した位置情報を含めて、アプリケーションの利用履歴を記憶する。つまり、位置情報を利用履歴に含めることにより、どのような場所で、どのようなアプリケーションを利用していたのかがわかるため、提供するアプリケーションがユーザが望むアプリケーションである確率を高めることができる。
【００１５】
（４）本発明は、（１）のアプリケーション情報共有システムについて、前記第１のユーザ端末が、前記アプリケーションの利用履歴に含まれる項目を変更する変更手段（例えば、図２の変更部１３０に相当）と、該変更した情報を前記制御サーバに送信する変更情報送信手段（例えば、図２の送信部１５０に相当）と、を備え、前記制御サーバの抽出手段が、受信した変更情報に基づいて、前記アプリケーション情報を抽出することを特徴とするアプリケーション情報共有システムを提案している。
【００１６】
この発明によれば、第１のユーザ端末の変更手段は、アプリケーションの利用履歴に含まれる項目を変更する。変更情報送信手段は、変更した情報を制御サーバに送信する。そして、制御サーバの抽出手段が、受信した変更情報に基づいて、アプリケーション情報を抽出する。つまり、第１のユーザ端末は、アプリケーションの選別に用いる利用履歴の項目を変更でき、変更した条件で制御サーバがアプリケーションの提示を行うため、提供するアプリケーションがユーザの望むアプリケーションである確率を高めることができる。
【００１７】
（５）本発明は、（１）のアプリケーション情報共有システムについて、前記第１のユーザ端末が、前記抽出手段の抽出を拒否する情報を登録する拒否情報登録手段（例えば、図２の拒否情報登録部１４０に相当）と、該拒否情報を前記制御サーバに送信する拒否情報送信手段（例えば、図２の送信部１５０に相当）と、を備え、前記制御サーバの抽出手段が、受信した拒否情報に基づいて、前記アプリケーション情報を抽出することを特徴とするアプリケーション情報共有システムを提案している。
【００１８】
この発明によれば、第１のユーザ端末の拒否情報登録手段は、抽出手段の抽出を拒否する情報を登録し、拒否情報送信手段は、拒否情報を制御サーバに送信する。そして、制御サーバの抽出手段が、受信した拒否情報に基づいて、アプリケーション情報を抽出する。したがって、提供するアプリケーションがユーザの望むアプリケーションである確率を高めることができる。
【００１９】
（６）本発明は、１のユーザの第１のユーザ端末と該１のユーザと知り合いであるユーザから構成される複数のグループ（例えば、図８のグループＡ、・・・、グループＺに相当）内のユーザ端末群と制御サーバとからなるアプリケーション情報共有システムであって、前記ユーザ端末群が、使用しているアプリケーションの利用履歴を含むアプリケーション情報を、ユーザの意思により選択的に、前記制御サーバにアップロードするアップロード手段（例えば、図６のアップロード部２１０に相当）を備え、前記第１のユーザ端末が、前記アプリケーション情報を共有するユーザの１のユーザ端末を前記制御サーバに指定するユーザ指定手段（例えば、図２のユーザ指定部１１０に相当）と、前記制御サーバが提示するアプリケーションの情報を取得する取得手段（例えば、図２の取得部１７０に相当）と、該取得したアプリケーション情報に基づいて、アプリケーションを選択する選択手段と、を備え、前記制御サーバが、前記第１のユーザ端末から指定のあった１のユーザ端末がアップロードした前記アプリケーション情報を抽出する抽出手段（例えば、図７の抽出部３２０に相当）と、該抽出したアプリケーションの情報を前記第１のユーザ端末に送信する送信手段（例えば、図７の送信部３４０に相当）と、を備えたことを特徴とするアプリケーション情報共有システムを提案している。
【００２０】
この発明によれば、ユーザ端末群のアップロード手段は、使用しているアプリケーションの利用履歴を含むアプリケーション情報を、ユーザの意思により選択的に、制御サーバにアップロードする。第１のユーザ端末のグループ指定手段は、アプリケーション情報を共有するグループを制御サーバに指定する。取得手段は、制御サーバが提示するアプリケーション情報を取得する。選択手段は、取得したアプリケーション情報に基づいて、アプリケーションを選択する。制御サーバの抽出手段は、第１のユーザ端末から指定のあったグループのユーザ端末群がアップロードした前記アプリケーション情報を抽出する。送信手段は、抽出したアプリケーションの情報を第１のユーザ端末に送信する。つまり、知り合いのユーザ端末を指定し、このユーザ端末がアップロードしたアプリケーション情報を抽出し、抽出したアプリケーション情報を第１のユーザ端末に制御サーバが送信し、第１のユーザ端末が受信したアプリケーション情報に基づいて、アプリケーションを選択する。したがって、ユーザが望むアプリケーションを発見できたり、新たな気づきをユーザに与えることができる。
【００２１】
（７）本発明は、（６）のアプリケーション情報共有システムについて、前記アプリケーションの利用履歴に、少なくとも、利用回数、利用日時、利用開始日を含むことを特徴とするアプリケーション情報共有システムを提案している。
【００２２】
この発明によれば、アプリケーションの利用履歴に、少なくとも、利用回数、利用日時、利用開始日を含む。したがって、こうした利用履歴を用いてアプリケーションを選別することにより、適切なアプリケーションをユーザに提供することができる。
【００２３】
（８）本発明は、（６）のアプリケーション情報共有システムについて、前記第１のユーザ端末およびユーザ端末群が、位置情報を取得する位置情報取得手段（例えば、図２の位置情報取得部１２０に相当）を備え、前記第１のユーザ端末が、前記ユーザ端末群が、該取得した位置情報を含めて、アプリケーションの利用履歴を記憶する記憶手段（例えば、図６の記憶部２３０に相当）を備えたことを特徴とするアプリケーション情報共有システムを提案している。
【００２４】
この発明によれば、第１のユーザ端末およびユーザ端末群が、位置情報を取得する位置情報取得手段を備え、ユーザ端末群の記憶手段は、取得した位置情報を含めて、アプリケーションの利用履歴を記憶する。つまり、位置情報を利用履歴に含めることにより、どのような場所で、どのようなアプリケーションを利用していたのかがわかるため、提供するアプリケーションがユーザの望むアプリケーションである確率を高めることができる。
【００２５】
（９）本発明は、（６）のアプリケーション情報共有システムについて、前記第１のユーザ端末が、前記アプリケーションの利用履歴に含まれる項目を変更する変更手段と、該変更した情報を前記制御サーバに送信する変更情報送信手段と、を備え、前記制御サーバの抽出手段が、受信した拒否情報に基づいて、前記アプリケーション情報を抽出することを特徴とするアプリケーション情報共有システムを提案している。
【００２６】
この発明によれば、第１のユーザ端末の変更手段は、アプリケーションの利用履歴に含まれる項目を変更する。変更情報送信手段は、変更した情報を制御サーバに送信する。そして、制御サーバの抽出手段が、受信した拒否情報に基づいて、アプリケーション情報を抽出する。つまり、第１のユーザ端末は、アプリケーションの選別に用いる利用履歴の項目を変更でき、変更した条件で制御サーバがアプリケーションの提示を行うため、提供するアプリケーションがユーザの望むアプリケーションである確率を高めることができる。
【００２７】
（１０）本発明は、（６）のアプリケーション情報共有システムについて、前記第１のユーザ端末が、前記抽出手段の抽出を拒否する情報を登録する拒否情報登録手段と、該拒否情報を前記制御サーバに送信する拒否情報送信手段と、を備え、前記制御サーバの抽出手段が、受信した拒否情報に基づいて、前記アプリケーション情報を抽出することを特徴とするアプリケーション情報共有システムを提案している。
【００２８】
この発明によれば、第１のユーザ端末の拒否情報登録手段は、抽出手段の抽出を拒否する情報を登録し、拒否情報送信手段は、拒否情報を制御サーバに送信する。そして、制御サーバの抽出手段が、受信した拒否情報に基づいて、アプリケーション情報を抽出する。したがって、提供するアプリケーションがユーザの望むアプリケーションである確率を高めることができる。
【００２９】
（１１）本発明は、１のユーザの第１のユーザ端末と該１のユーザと知り合いであるユーザのユーザ端末群と制御サーバとからなるアプリケーション情報共有システムにおけるアプリケーション情報共有方法であって、前記ユーザ端末群が、使用しているアプリケーションの利用履歴を含むアプリケーション情報を、ユーザの意思により選択的に、前記制御サーバにアップロードする第１のステップ（例えば、図８のステップＳ１０１に相当）と、前記第１のユーザ端末が、前記アプリケーション情報を共有するユーザの１のユーザ端末を前記制御サーバに指定する第２のステップ（例えば、図８のステップＳ１０２に相当）と、前記制御サーバが、前記第１のユーザ端末から指定のあった１のユーザ端末がアップロードした前記アプリケーション情報を抽出する第３のステップ（例えば、図８のステップＳ１０３に相当）と、前記制御サーバが、該抽出したアプリケーション情報を前記第１のユーザ端末に送信する第４のステップ（例えば、図８のステップＳ１０４に相当）と、前記第１のユーザ端末が、前記制御サーバが提示するアプリケーション情報を取得する第５のステップ（例えば、図８のステップＳ１０５に相当）と、前記第１のユーザ端末が、該取得したアプリケーション情報に基づいて、アプリケーションを選択する第６のステップ（例えば、図８のステップＳ１０６に相当）と、を備えたことを特徴とするアプリケーション情報共有方法を提案している。
【００３０】
この発明によれば、ユーザ端末群が、使用しているアプリケーションの利用履歴を含むアプリケーション情報を、ユーザの意思により選択的に、制御サーバにアップロードする。第１のユーザ端末は、アプリケーション情報を共有する１のユーザ端末を制御サーバに指定し、制御サーバは、第１のユーザ端末から指定のあった１のユーザ端末がアップロードした前記アプリケーション情報を抽出する。そして、制御サーバは、抽出したアプリケーション情報を第１のユーザ端末に送信し、第１のユーザ端末は、制御サーバが提示するアプリケーションの情報を取得して、取得したアプリケーション情報に基づいて、アプリケーションを選択する。つまり、知り合いのユーザ端末を指定し、このユーザ端末がアップロードしたアプリケーション情報を抽出し、抽出したアプリケーション情報を第１のユーザ端末に制御サーバが送信し、第１のユーザ端末が受信したアプリケーション情報に基づいて、アプリケーションを選択する。したがって、ユーザが望むアプリケーションを発見できたり、新たな気づきをユーザに与えることができる。
【００３１】
（１２）本発明は、１のユーザの第１のユーザ端末と該１のユーザと知り合いであるユーザから構成される複数のグループ内のユーザ端末群と制御サーバとからなるアプリケーション情報共有システムにおけるアプリケーション情報共有方法であって、前記ユーザ端末群が、使用しているアプリケーションの利用履歴を含むアプリケーション情報を、ユーザの意思により選択的に、前記制御サーバにアップロードする第１のステップ（例えば、図１０のステップＳ２０１に相当）と、前記第１のユーザ端末が、前記アプリケーション情報を共有するグループを前記制御サーバに指定する第２のステップ（例えば、図１０のステップＳ２０２に相当）と、前記制御サーバが、前記第１のユーザ端末から指定のあったグループのユーザ端末がアップロードした前記アプリケーション情報を抽出する第３のステップ（例えば、図１０のステップＳ２０３に相当）と、前記制御サーバが、該抽出したアプリケーション情報を前記第１のユーザ端末に送信する第４のステップ（例えば、図１０のステップＳ２０４に相当）と、前記第１のユーザ端末が、前記制御サーバが提示するアプリケーション情報を取得する第５のステップ（例えば、図１０のステップＳ２０５に相当）と、前記第１のユーザ端末が、該取得したアプリケーション情報に基づいて、アプリケーションを選択する第６のステップ（例えば、図１０のステップＳ２０６に相当）と、を備えたことを特徴とするアプリケーション情報共有方法を提案している。
【００３２】
この発明によれば、ユーザ端末群は、使用しているアプリケーションの利用履歴を含むアプリケーション情報を、ユーザの意思により選択的に、制御サーバにアップロードする。第１のユーザ端末は、アプリケーション情報を共有するグループを制御サーバに指定し、制御サーバは、第１のユーザ端末から指定のあったグループのユーザ端末群がアップロードした前記アプリケーション情報を抽出する。そして、制御サーバは、抽出したアプリケーションの情報を第１のユーザ端末に送信し、第１のユーザ端末は、制御サーバが提示するアプリケーションの情報を取得して、取得したアプリケーション情報に基づいて、アプリケーションを選択する。つまり、知り合いのグループのユーザ端末群を指定し、このユーザ端末群がアップロードしたアプリケーション情報を抽出し、抽出したアプリケーション情報を第１のユーザ端末に制御サーバが送信し、第１のユーザ端末が受信したアプリケーション情報に基づいて、アプリケーションを選択する。したがって、ユーザが望むアプリケーションを発見できたり、新たな気づきをユーザに与えることができる。
【００３３】
（１３）本発明は、１のユーザの第１のユーザ端末と該１のユーザと知り合いであるユーザのユーザ端末群と制御サーバとからなるアプリケーション情報共有システムにおけるアプリケーション情報共有方法をコンピュータに実行させるためのプログラムであって、前記ユーザ端末群が、使用しているアプリケーションの利用履歴を含むアプリケーション情報を、ユーザの意思により選択的に、前記制御サーバにアップロードする第１のステップ（例えば、図８のステップＳ１０１に相当）と、前記第１のユーザ端末が、前記アプリケーション情報を共有するユーザの１のユーザ端末を前記制御サーバに指定する第２のステップ（例えば、図８のステップＳ１０２に相当）と、前記制御サーバが、前記第１のユーザ端末から指定のあった１のユーザ端末がアップロードした前記アプリケーション情報を抽出する第３のステップ（例えば、図８のステップＳ１０３に相当）と、前記制御サーバが、該抽出したアプリケーション情報を前記第１のユーザ端末に送信する第４のステップ（例えば、図８のステップＳ１０４に相当）と、前記第１のユーザ端末が、前記制御サーバが提示するアプリケーション情報を取得する第５のステップ（例えば、図８のステップＳ１０５に相当）と、前記第１のユーザ端末が、該取得したアプリケーション情報に基づいて、アプリケーションを選択する第６のステップ（例えば、図８のステップＳ１０６に相当）と、をコンピュータに実行させるためのプログラムを提案している。
【００３４】
この発明によれば、ユーザ端末群が、使用しているアプリケーションの利用履歴を含むアプリケーション情報を、ユーザの意思により選択的に、制御サーバにアップロードする。第１のユーザ端末は、アプリケーション情報を共有する１のユーザ端末を制御サーバに指定し、制御サーバは、第１のユーザ端末から指定のあった１のユーザ端末がアップロードした前記アプリケーション情報を抽出する。そして、制御サーバは、抽出したアプリケーション情報を第１のユーザ端末に送信し、第１のユーザ端末は、制御サーバが提示するアプリケーションの情報を取得して、取得したアプリケーション情報に基づいて、アプリケーションを選択する。つまり、知り合いのユーザ端末を指定し、このユーザ端末がアップロードしたアプリケーション情報を抽出し、抽出したアプリケーション情報を第１のユーザ端末に制御サーバが送信し、第１のユーザ端末が受信したアプリケーション情報に基づいて、アプリケーションを選択する。したがって、ユーザが望むアプリケーションを発見できたり、新たな気づきをユーザに与えることができる。
【００３５】
（１４）本発明は、１のユーザの第１のユーザ端末と該１のユーザと知り合いであるユーザから構成される複数のグループ内のユーザ端末群と制御サーバとからなるアプリケーション情報共有システムにおけるアプリケーション情報共有方法をコンピュータに実行させるためのプログラムであって、前記ユーザ端末群が、使用しているアプリケーションの利用履歴を含むアプリケーション情報を、ユーザの意思により選択的に、前記制御サーバにアップロードする第１のステップ（例えば、図１０のステップＳ２０１に相当）と、前記第１のユーザ端末が、前記アプリケーション情報を共有するグループを前記制御サーバに指定する第２のステップ（例えば、図１０のステップＳ２０２に相当）と、前記制御サーバが、前記第１のユーザ端末から指定のあったグループのユーザ端末がアップロードした前記アプリケーション情報を抽出する第３のステップ（例えば、図１０のステップＳ２０３に相当）と、前記制御サーバが、該抽出したアプリケーション情報を前記第１のユーザ端末に送信する第４のステップ（例えば、図１０のステップＳ２０４に相当）と、前記第１のユーザ端末が、前記制御サーバが提示するアプリケーション情報を取得する第５のステップ（例えば、図１０のステップＳ２０５に相当）と、前記第１のユーザ端末が、該取得したアプリケーション情報に基づいて、アプリケーションを選択する第６のステップ（例えば、図１０のステップＳ２０６に相当）と、をコンピュータに実行させるためのプログラムを提案している。
【００３６】
この発明によれば、ユーザ端末群は、使用しているアプリケーションの利用履歴を含むアプリケーション情報を、ユーザの意思により選択的に、制御サーバにアップロードする。第１のユーザ端末は、アプリケーション情報を共有するグループを制御サーバに指定し、制御サーバは、第１のユーザ端末から指定のあったグループのユーザ端末群がアップロードした前記アプリケーション情報を抽出する。そして、制御サーバは、抽出したアプリケーションの情報を第１のユーザ端末に送信し、第１のユーザ端末は、制御サーバが提示するアプリケーションの情報を取得して、取得したアプリケーション情報に基づいて、アプリケーションを選択する。つまり、知り合いのグループのユーザ端末群を指定し、このユーザ端末群がアップロードしたアプリケーション情報を抽出し、抽出したアプリケーション情報を第１のユーザ端末に制御サーバが送信し、第１のユーザ端末が受信したアプリケーション情報に基づいて、アプリケーションを選択する。したがって、ユーザが望むアプリケーションを発見できたり、新たな気づきをユーザに与えることができる。
【発明の効果】
【００３７】
本発明によれば、知り合いのユーザ間でお薦めのアプリケーション情報を共有することにより、ユーザが望むアプリケーションを発見させることができるという効果がある。また、ユーザ間でお薦めのアプリケーション情報を共有することにより、ユーザに新たな気づきを与えることができるという効果がある。また、相手や履歴を選択できるため、ユーザ自身が、適切にプライバシコントロールできるという効果がある。
【図面の簡単な説明】
【００３８】
【図１】本発明の第１の実施形態に係るアプリケーション情報共有システムの構成を示す図である。
【図２】本発明の第１の実施形態に係る第１のユーザ端末の構成を示す図である。
【図３】本発明の第１の実施形態に係る第１のユーザ端末においてアプリケーションの利用履歴に含まれる項目を変更する方法を例示した図である。
【図４】本発明の第１の実施形態に係る第１のユーザ端末においてアプリケーションの利用履歴に含まれる項目を変更する方法を例示した図である。
【図５】本発明の第１の実施形態に係る第１のユーザ端末において抽出部の抽出を拒否する情報を登録する方法を例示した図である。
【図６】本発明の第１の実施形態に係るユーザ端末群内の各端末の構成を示す図である。
【図７】本発明の第１の実施形態に係る制御サーバの構成を示す図である。
【図８】本発明の第１の実施形態に係るアプリケーション情報共有システムの処理を示す図である。
【図９】本発明の第２の実施形態に係るアプリケーション情報共有システムの構成を示す図である。
【図１０】本発明の第２の実施形態に係るアプリケーション情報共有システムの処理を示す図である。
【発明を実施するための形態】
【００３９】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００４０】
＜第１の実施形態＞
図１から図８を用いて、本発明の第１の実施形態に係るアプリケーション情報共有システムについて説明する。なお、本実施形態は、知り合い同士の間で、アプリケーションに関する情報を共有するものである。
【００４１】
＜アプリケーション情報共有システムの構成＞
図１を用いて、本実施形態に係るアプリケーション情報共有システムの構成について説明する。本実施形態に係るアプリケーション情報共有システムは、図１に示すように、端末１００と、端末２００Ａ〜２００Ｄと、制御サーバ３００と、ネットワーク４００とから構成されている。なお、端末１００、端末２００Ａ〜２００Ｄ、制御サーバ３００は、ネットワーク４００を介して、接続されている。
【００４２】
ここで、端末１００は、アプリケーションに関する情報を求めるユーザの端末であり、端末２００Ａ〜２００Ｄは、端末１００を保有するユーザの知り合いが保有する端末であり、それぞれ、独自に、アプリケーションに関する情報を提供する。
【００４３】
制御サーバ３００は、端末２００Ａ〜２００Ｄから提供されたアプリケーションに関する情報を集約し、端末１００からの要求にしたがって、端末１００を保有するユーザが、指定した端末２００Ａ〜２００Ｄから提供された情報を抽出して、提示する。また、端末１００から受信した利用履歴項目の変更情報や拒否情報に基づいて、端末２００Ａ〜２００Ｄから提供されたアプリケーション情報を精査して、提示する。
【００４４】
＜端末１００（第１のユーザ端末）の構成＞
図２から図５を用いて、本実施形態に係る端末１００（第１のユーザ端末）の構成について説明する。
【００４５】
本実施形態に係る端末１００（第１のユーザ端末）は、図２に示すように、ユーザ指定部１１０と、位置情報取得部１２０と、変更部１３０と、拒否情報登録部１４０と、送信部１５０と、受信部１６０と、取得部１７０と、選択部１８０とから構成されている。
【００４６】
ユーザ指定部１１０は、ユーザ端末群２００Ａ〜２００Ｄの中からアプリケーション情報を共有するユーザの端末を制御サーバに指定する。位置情報取得部１２０は、ＧＰＳ等で、端末の位置情報を取得する。
【００４７】
変更部１３０は、アプリケーションの利用履歴に含まれる項目を変更する。具体的には、図３に示すように、予め登録されている利用履歴項目のうち、必要と思われる項目をチェックすることにより、不要な項目を削除する。あるいは、図４に示すように、予め登録されている利用履歴項目以外に登録したい項目があれば、その項目を入力することにより、項目を追加する。また、ユーザが最初から必要と思われる項目を入力して、オリジナルの項目リストを生成できるようにしてもよい。この情報を制御サーバ３００に送信することにより、提示されるアプリケーション情報を絞り込むことができる。
【００４８】
拒否情報登録部１４０は、アプリケーションの利用履歴に含まれる項目からの抽出を拒否する項目の情報を登録する。具体的には、図５に示すように、登録を拒否する項目を入力することにより、その項目を拒否情報として登録する。この情報は、予め登録されている利用履歴項目よりもさらに下位概念の項目、例えば、ジャンルのうち、「アニメ」は、拒否するというような意味合いでその項目を登録する。この情報を制御サーバ３００に送信することにより、提示されるアプリケーション情報を絞り込むことができる。
【００４９】
送信部１５０は、ユーザ指定部１１０のユーザ指定情報、変更部１３０からの変更情報、拒否情報登録部１４０からの拒否情報を制御サーバ３００に送信する。受信部１６０は、制御サーバからアプリケーション情報を受信し、取得部１７０に出力する。取得部１７０は、アプリケーション情報を取得し、選択部１８０は、取得したアプリケーション情報に基づいて、アプリケーションを選択し、これを図示しない表示部等に表示して、その結果をユーザに知らせる。
【００５０】
＜ユーザ端末群内の各端末の構成＞
図６を用いて、本実施形態に係るユーザ端末群内の各端末の構成について説明する。
【００５１】
本実施形態に係るユーザ端末群内の各端末は、図６に示すように、アップロード部２１０と、位置情報取得部２２０と、記憶部２３０とから構成されている。
【００５２】
アップロード部２１０は、使用しているアプリケーションの利用履歴を含むアプリケーション情報を、ユーザの意思により選択的に、制御サーバ３００にアップロードする。位置情報取得部２２０は、ＧＰＳ等で、端末の位置情報を取得する。記憶部２３０は、取得した位置情報を含めて、アプリケーションの利用履歴を記憶する。
【００５３】
＜制御サーバの構成＞
図７を用いて、本実施形態に係る制御サーバの構成について説明する。
【００５４】
本実施形態に係る制御サーバは、図７に示すように、受信部３１０と、抽出部３２０と、データベース３３０と、送信部３４０とから構成されている。
【００５５】
受信部３１０は、ユーザ端末群内の各端末からアップロードされた使用しているアプリケーションの利用履歴（位置情報を含む）を含むアプリケーション情報を受信する。抽出部３２０は、後述するデータベース３３０を検索し、端末１００から指定のあったユーザ端末群の中の端末がアップロードしたアプリケーション情報を抽出する。また、端末１００から受信した利用履歴項目の変更情報や拒否情報に基づいて、端末２００Ａ〜２００Ｄから提供されたアプリケーション情報を精査して、条件に一致するアプリケーション情報を提示する。
【００５６】
データベース３３０は、ユーザ端末群の各端末がアップロードした使用しているアプリケーションの利用履歴（位置情報を含む）を含むアプリケーション情報を関連づけて格納する。送信部３４０は、抽出部３２０が抽出したアプリケーション情報を端末１００に送信する。
【００５７】
＜アプリケーション情報共有システムの処理＞
図８を用いて、本実施形態に係るアプリケーション情報共有システムの処理について説明する。
【００５８】
まず、ユーザ端末群の各端末２００Ａ〜２００Ｄが、使用しているアプリケーションの利用履歴を含むアプリケーション情報を、ユーザの意思により選択的に、制御サーバにアップロードする（ステップＳ１０１）。端末１００は、アプリケーション情報を共有するユーザ端末群の端末を制御サーバ３００に指定し（ステップＳ１０２）、制御サーバ３００は、端末１００から指定のあった端末がアップロードしたアプリケーション情報を抽出する（ステップＳ１０３）。
【００５９】
そして、制御サーバ３００は、抽出したアプリケーション情報を端末１００に送信し（ステップＳ１０４）、端末１００は、制御サーバ３００が提示するアプリケーション情報を取得して（ステップＳ１０５）、取得したアプリケーション情報に基づいて、アプリケーションを選択する（ステップＳ１０６）。
【００６０】
以上、説明したように、本実施形態によれば、知り合いのユーザ端末を指定し、このユーザ端末がアップロードしたアプリケーション情報を抽出し、抽出したアプリケーションを端末１００に制御サーバ３００が送信するため、ユーザが望むアプリケーションを発見できたり、新たな気づきをユーザに与えることができる。
【００６１】
＜第２の実施形態＞
図９および図１０を用いて、本発明の第２の実施形態に係るアプリケーション情報共有システムについて説明する。なお、本実施形態は、ユーザとユーザの知り合いで構成されるグループの間で、アプリケーションに関する情報を共有するものである。
【００６２】
＜アプリケーション情報共有システムの構成＞
図９を用いて、本実施形態に係るアプリケーション情報共有システムの構成について説明する。本実施形態に係るアプリケーション情報共有システムは、図９に示すように、端末１００と、端末２００Ａ、２００ＢからなるグループＡ、端末２００ｃ、２００ＤとからなるグループＺ等の複数のグループと、制御サーバ３００と、ネットワーク４００とから構成されている。なお、端末１００、端末２００Ａ〜２００Ｄ、制御サーバ３００は、ネットワーク４００を介して、接続されている。また、第１の実施形態と同一の符号を付す構成要素については、同様の機能を有することからその詳細な説明は、省略する。
【００６３】
＜アプリケーション情報共有システムの処理＞
図１０を用いて、本実施形態に係るアプリケーション情報共有システムの処理について説明する。
【００６４】
まず、各グループを構成するユーザ端末群の各端末２００Ａ〜２００Ｄは、使用しているアプリケーションの利用履歴を含むアプリケーション情報を、ユーザの意思により選択的に、制御サーバ３００にアップロードする（ステップＳ２０１）。端末１００は、アプリケーション情報を共有するグループを制御サーバ３００に指定し（ステップＳ２０２）、制御サーバ３００は、端末１００から指定のあったグループのユーザ端末群がアップロードしたアプリケーション情報を抽出する（ステップＳ２０３）。
【００６５】
そして、制御サーバ３００は、抽出したアプリケーション情報を端末１００に送信し（ステップＳ２０４）、端末１００は、制御サーバ３００が提示するアプリケーション情報を取得して（ステップＳ２０５）、取得したアプリケーション情報に基づいて、アプリケーションを選択する（ステップＳ２０６）。
【００６６】
以上、説明したように、本実施形態によれば、知り合いのグループのユーザ端末群を指定し、このユーザ端末群がアップロードしたアプリケーション情報を抽出し、抽出したアプリケーション情報を第１のユーザ端末に制御サーバが送信するため、第１の実施形態の場合よりも選択肢が増えることにより、ユーザが望むアプリケーションを発見できたり、新たな気づきをユーザに与えることができる。
【００６７】
＜変形例＞
上記、第１および第２の実施形態においては、ネットワークを用いて、アプリケーションに関する情報を共有する場合を例示したが、直接、ＰｔｏＰで、ユーザ同士が、アプリケーションに関する情報を交換することにより、共有することも可能である。しかしながら、この場合には、相手方のユーザが、必ずしも、望ましい情報を持っているとは限らないため、システムとしては、簡便であるが、その期待度は、本実施形態に比べて、相対的に、低いものと考えられる。
【００６８】
なお、アプリケーション情報共有システムの処理をコンピュータ読み取り可能な記録媒体に記録し、この記録媒体に記録されたプログラムを端末１００、端末２００Ａ〜２００Ｄ、制御サーバ３００に読み込ませ、実行することによって本発明のアプリケーション情報共有システムを実現することができる。ここでいうコンピュータシステムとは、ＯＳや周辺装置等のハードウェアを含む。
【００６９】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００７０】
また、上記プログラムは、前述した機能の一部を実現するためのものであってもよい。さらに、前述した機能をコンピュータシステムにすでに記録されているプログラムとの組合せで実現できるもの、いわゆる差分ファイル（差分プログラム）であってもよい。
【００７１】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００７２】
１００；端末
１１０；ユーザ指定部
１２０；位置情報取得部
１３０；変更部
１４０；拒否情報登録部
１５０；送信部
１６０；受信部
１７０；取得部
１８０；選択部
２００Ａ；端末
２００Ｂ；端末
２００Ｃ；端末
２００Ｄ；端末
２１０；アップロード部
２２０；位置情報取得部
２３０；記憶部
３００；制御サーバ
３１０；受信部
３２０；抽出部
３３０；データベース
３４０；送信部
【図１】
2014228986.tif 000003
【図２】
2014228986.tif 000004
【図３】
2014228986.tif 000005
【図４】
2014228986.tif 000006
【図５】
2014228986.tif 000007
【図６】
2014228986.tif 000008
【図７】
2014228986.tif 000009
【図８】
2014228986.tif 000010
【図９】
2014228986.tif 000011
【図１０】
2014228986.tif 000012